(57)【要約】【課題】側溝の表面に設けた凹溝内にグレーチングを簡単かつ確実に取付固定し得る側溝に於ける排水構造を目的とする。【解決手段】内底部に水路２が貫通されると共に上表面にグレーチング嵌入用の凹溝３が穿設され、かつ前記水路２と凹溝３との間にスリット４が間欠的に穿設された側溝ブロック１と、コ字形のフック７が回動自在に取付けられたグレーチング６との組合せよりなり、前記フック７の先端部７ｂで側溝ブロック１のスリット４の設けられていない部分５に係止して、前記グレーチング６を凹溝３に固定するようにした側溝に於ける排水構造である。【選択図】        図４
2004270311.tif 000002
【特許請求の範囲】
【請求項１】
軸方向内部に水路が貫通されると共に上表面にグレーチング嵌入用の凹溝が該水路と平行に穿設されかつ前記水路と凹溝との間に排水用のスリットが穿設された側溝に於て、前記スリットは所定の間隔を保って間欠的に設けられており、前記凹溝に嵌入されたグレーチングにはフックが回動自在に取付けられており、かつ該フックは前記スリットの末端部に隣接して挿入されてスリットが設けられない部分に係止して構成されていることを特徴とした側溝に於ける排水構造。
【請求項２】
コ字形フックを所定位置に回動自在に取付けて構成したことを特徴としたグレーチング。
【発明の詳細な説明】
【０００１】
【発明の属する技術分野】
本発明は道路の側溝に於ける排水構造とこの排水構造に用いられるグレーチングに係り、特にグレーチングを側溝の表面に設けられた凹溝内に簡単かつ安定した状態で固定することが出来る排水構造とグレーチングに関するものである。
【０００２】
【従来の技術】
最近の道路等に使用されるブロック状のコンクリート側溝は、雨水を内部に設けた水路に流入させるために、表面に凹溝を形成すると共に該凹溝と水路との間にスリットを穿設し、更に前記凹溝内にグレーチングを埋設して構成していた。
【０００３】
この種の構造を有する公知技術としては、後述の特許文献１乃至特許文献５が夫々知られている。
【０００４】
【特許文献１】
特開平９−１３４８８号公報
【特許文献２】
特開平１０−６０９９４号公報
【特許文献３】
特開２０００−１７０２４０号公報
【特許文献４】
特開２００３−２７５７６号公報
【特許文献５】
実用新案登録第３０２２６９１号公報
【０００５】
【発明が解決しようとする課題】
前述の従来の技術に於ては、側溝の表面に設けられた凹溝の中に嵌入されたグレーチングを、側溝に安定した状態で固定するために種々の方策が用いられていたが全体が極めて複雑であり、コスト高になる問題があった。
【０００６】
即ち、例えば前記特許文献３の技術に於ては、ネジ棒の下部に水路に挿入し得る固定板を設け、かつネジ棒の上部にグレーチングの補強板に掛け止めし得るフック部を設け、ネジ棒に沿って固定板を昇降させることによってグレーチングを凹溝内に固定していたが、全体の構造が極めて複雑であり、しかも作業が困難である等の問題があった。
【０００７】
また、例えば特許文献５の場合には、側溝表面に設けられたスリット（開口溝）の両側に夫々アングル材を起立固定し、これ等のアングル材間にフラットバーを設け、アングル材とフラットバーとによって形成される凹溝空間の中にグレーチングを落し込んでいたが、この技術の場合も複雑であり、多くの鋼材を必要とし、組立構成に手間を取ると共にコスト高になる問題があった。
【０００８】
さらに、前述の従来の側溝ブロックは、内部に設けた水路と表面の凹溝との間に巾広のスリット或は開口溝を設けて構成しなければならないので、側溝ブロック自体の強度が弱くなる問題があった。
【０００９】
本発明に係る側溝に於ける排水構造及びグレーチングは、前述の従来の問題点に鑑み開発された全く新しい技術であって、特に側溝の水路と凹溝との間に間欠的にスリットを設け、かつ該凹溝に嵌入されるグレーチングにフックを回動自在に取付けて構成したので、該フックの先端部をスリットの末端部に挿入した場合には、フックが自重で回転して、その先端部をスリットのない部分に自動的に係止することが出来る。従ってグレーチングを側溝に簡単かつ安定した状態で取付固定するようにした全く新しい技術を提供するものである。
【００１０】
【課題を解決するための手段】
本発明に係る側溝に於ける排水構造は、前述の従来の問題点を根本的に改善した発明であって、その発明の要旨は、軸方向内部に水路が貫通されると共に上表面にグレーチング嵌入用の凹溝が該水路と平行に穿設されかつ前記水路と凹溝との間に排水用のスリットが穿設された側溝に於て、前記スリットは所定の間隔を保って間欠的に設けられており、前記凹溝に嵌入されたグレーチングにはフックが回動自在に取付けられており、かつ該フックは前記スリットの末端部に隣接して挿入されてスリットが設けられない部分に係止して構成されていることを特徴とした側溝に於ける排水構造である。
【００１１】
前述のように、本発明に於ては、側溝内部の水路と、側溝表面の凹溝との間に排水用のスリットを間欠的に設けると共に、グレーチングにフックを回動自在に取付けられているので、該フックをスリットの末端部に隣接して水路迄挿入した後で回動することによって、フックの先端部をスリットが設けられない部分に係止して、グレーチングを凹溝内に簡単かつ安定した状態で取付固定することが出来る。
【００１２】
本発明に使用される側溝ブロックには、水路と凹溝とを連通するスリットが部分的に設けられているに過ぎないので、側溝ブロックの強度がスリットによって阻害されることを最小限にすることが出来る。
【００１３】
本発明に係るグレーチングも前述の従来の問題点を根本的に改善した発明であって、その要旨は、コ字形フックを所定位置に回動自在に取付けて構成したことを特徴としたグレーチングである。
【００１４】
前述の本発明に係るグレーチングには、コ字形フックを所定位置に回動自在に取付けて構成したので、側溝のスリットの末端部に隣接してフックの先端部を水路迄挿入した後、フックは自重によって自動的に回動してそのフックの先端部をスリットのない部分に係止して、グレーチングを側溝に簡単かつ安定して取付固定することが出来る。
【００１５】
また、グレーチングに回動自在に取付けられたフックの根本部の上端は、フックが側溝に係止された状態では、グレーチングの表面と面一になっており、フックが回動して側溝から外れた際には、フック根本部の上端の一部がグレーチングの表面より突出するので、外部からその状態を極めて簡単に確認することが出来る。
【００１６】
【発明の実施の形態】
図により本発明の一実施例を具体的に説明すると、図１は本発明に係る側溝に於ける排水構造の斜視図、図２は図１の側溝ブロックとグレーチングとの説明斜視図、図３は図１のグレーチングの構成を示す説明図、図４は図１の状態を形成する前の組立状態の説明斜視図である。
【００１７】
図１乃至図４に於て、１は本発明に使用される側溝ブロックであって、その内底部には円形状の水路２が軸方向に貫通されている。また、側溝ブロック１の表面には、水路２と平行に凹溝３が穿設されている。
【００１８】
そして、該水路２と凹溝３との間には、所定の間隔を保って、スリット４が穿設されている。従って、スリット４はスリット４が設けられない部分５と交互に配設されている。本発明に於ては、このように、側溝ブロック１にスリット４を全長に設けずに、間欠的に設けることによって、側溝ブロック１の強度を保つことが出来るように配慮されている。
【００１９】
６は本発明に係るグレーチングであって、すの子状の本体とその所定位置に取付けられたフック７とより構成されている。フック７は、図に示す如く、コ字状に形成されており、その上部の根本部７ａがグレーチング６の中桟の所定位置に回動自在に取付けられている。フック７の取付位置は、前記側溝ブロック１のスリット４の位置に対応させて設けることが出来る。
【００２０】
前記フック７の下部の先端部７ｂは、グレーチング６を側溝ブロック１の凹溝３内に嵌入した際に、水路２内に挿入される長さを有しており、かつこの先端部７ｂは自重によって常に垂直に保持されるように構成されている。
【００２１】
また、フック７の根本部７ａの上端面は、フック７の先端部７ｂが自重によって垂直に保持されている際には、グレーチング６の表面と面一になり、フック７の先端部７ｂが傾斜した際には、フック７の根本部７ａの上端面はグレーチング６の表面から突出するように構成されている。
【００２２】
従って、特に図４に示す如く、フック７を回動して傾斜させてフック７をスリット４の末端部に隣接して挿入しながら、図１の如く、グレーチング６を凹溝３に嵌入した場合には、フック７が自重によって回動して、その先端部７ｂを垂直に維持すると共に、その先端部７ｂをスリット４の設けられない部分５の下面に自動的に係止することが出来る。
【００２３】
さらに、台風時の風力或は水力等によってグレーチング６が移動してフック７の先端部がスリット４の設けられない部分５から外れたような場合には、フック７が傾斜してフック７の根本部７ａの上端面がグレーチング６の表面より突出するので、この状態を外部から簡単に確認することが出来る。従って、事故が発生する前に簡単な操作で元の状態に復元し、事故を事前に防止することが出来る。
【００２４】
本発明に於ける側溝ブロック１は、前述のような構造を有するので、従来の側溝ブロックと全く同一の工程で製造することが出来る。また、フック７が取付けられたグレーチング６は、単にコ字形のフック７をグレーチング６の所定位置に回動自在に取付ければ良いので、構造が極めて簡単であり、安価に大量生産することが出来る。
【００２５】
【発明の効果】
本発明に係る側溝に於ける排水構造に於いては、側溝内部の水路と、側溝表面の凹溝との間に排水用のスリットを間欠的に設けると共に、グレーチングにフックを回動自在に取付けられているので、該フックをスリットの末端部に隣接して水路迄挿入した後で回動することによって、フックの先端部をスリットが設けられない部分に係止して、グレーチングを凹溝内に簡単かつ安定した状態で取付固定することが出来る効果を有している。
【００２６】
本発明に使用される側溝ブロックには、水路と凹溝とを連通するスリットが部分的に設けられているに過ぎないので、側溝ブロックの強度がスリットによって阻害されることを最小限にすることが出来る効果を有している。
【００２７】
また本発明に係るグレーチングに於いては、コ字形フックを所定位置に回動自在に取付けて構成したので、側溝のスリットの末端部に隣接してフックの先端部を水路迄挿入した後、フックは自重によって自動的に回動してそのフックの先端部をスリットのない部分に係止して、グレーチングを側溝に簡単かつ安定して取付固定することが出来る効果を有している。
【００２８】
また、グレーチングに回動自在に取付けられたフックの根本部の上端は、フックが側溝に係止された状態では、グレーチングの表面と面一になっており、フックが回動して側溝から外れた際には、フック根本部の上端の一部がグレーチングの表面より突出するので、外部からその状態を極めて簡単に確認することが出来る効果も有している。
【図面の簡単な説明】
【図１】図１は本発明に係る側溝に於ける排水構造の斜視図である。
【図２】図２は図１の側溝ブロックとグレーチングとの説明斜視図である。
【図３】図３は図１のグレーチングの構成を示す説明図である。
【図４】図４は図１の状態を形成する前の組立状態の説明斜視図である。
【符号の説明】
１      側溝ブロック
２      水路
３      凹溝
４      スリット
５      スリット４が設けられない部分
６      グレーチング
７      フック
７ａ    根本部
７ｂ    先端部
【図１】
2004270311.tif 000003
【図２】
2004270311.tif 000004
【図３】
2004270311.tif 000005
【図４】
2004270311.tif 000006